(57)【要約】  ＬＥＤを有する光ガイドの照明セクションは、光ガイドの他の部分に望ましくない光の漏れをもたらす。さらに、１〜１０ｍｍではＬＥＤの近くに強度が突出する部分ができる故に、ＬＥＤは典型的に、このＬＥＤからの光をアウトカップリングする領域から遠く離れたところに配置されている。被照明領域に現れるこの突出部を避ける為に、この距離は長くされ、その結果、システム全体の面積が望ましくなく増大する。本発明は、これらの課題を克服する為のレイアウトを提供する。【選択図】図２Ａ
2021511643.tif 000002
【特許請求の範囲】
【請求項１】
照らされたアイコン又は画像を表示する為の表示領域を有するディスプレイであって、
１以上のＬＥＤ装置を受け入れる為のインカップリング面を有する光ガイドを備えており、該ＬＥＤ装置が、該インカップリング面から、該アイコン又は画像を画定するアウトカップリング面に進む光路を画定する為の主光射出方向を有し、
該光ガイドが、該主光射出方向からそれる方向の該ＬＥＤからの光を遮蔽する側縁部を有し、
該光ガイドが、該ＬＥＤ装置に沿って延在する該インカップリング面を向く頂点を有する光均質化ゾーンを備えている透明部を備えており、上記均質化ゾーンが、上記面に沿う該側面から離れており、且つ該光射出方向に沿ってほぼ該ＬＥＤ装置の長さに延在する、
前記ディスプレイ。
【請求項２】
該均質化ゾーンが、該透明部内の１以上の空洞によって与えられている、請求項１に記載のディスプレイ。
【請求項３】
該空洞の側面が、該ＬＥＤ装置から放射された光に対する全内面反射効果を与えるように、該主光射出方向に相対的に方向付けされている、請求項２に記載のディスプレイ。
【請求項４】
上記１以上の空洞が１以上の三角形又は丸みを帯びた三角形を有する、請求項２又は３に記載のディスプレイ。
【請求項５】
該１以上の空洞が、三角形又は丸みを帯びた三角形の１面に粗化部を備えている、請求項１〜４のいずれか１項に記載のディスプレイ。
【請求項６】
該均質化ゾーンが、該透明部内に設けられた単一の空洞によって形成されている、請求項１〜５のいずれか１項に記載のディスプレイ。
【請求項７】
１以上のＬＥＤ装置を受け入れる為のインカップリング面が平面透明層の側面であり、該ＬＥＤ装置が、該透明層に相当する厚さを有する直立ＬＥＤである、請求項１〜６のいずれか１項に記載のディスプレイ。
【請求項８】
該インカップリング面が、非平坦で、該インカップリング面と該ＬＥＤ装置との間に空洞を含む、請求項７に記載のディスプレイ。
【請求項９】
反射コーティングが該透明部と縁部との間に設けられている、請求項１〜８のいずれか１項に記載のディスプレイ。
【請求項１０】
該側縁部が、該光ガイドに隣接して且つ相補的に形成された非透明材料によって与えられている、請求項１〜９のいずれか１項に記載のディスプレイ。
【請求項１１】
該透明部と該縁部とが、セグメント化され且つ相補的な形状の２以上の層と1つのカバー層との単一の一体化されたスタックを形成する、請求項１〜１０のいずれか１項に記載のディスプレイ。
【請求項１２】
該単一の一体化された層が複数のＬＥＤのアレイに隣接して設けられており、各ＬＥＤが、アウトカップリング面を有する各透明部に面している、請求項１１に記載のディスプレイ。
【請求項１３】
該カバー層が光反射コーティングを備えている、請求項１１又は１２に記載のディスプレイ。
【請求項１４】
該光反射コーティングが、該アウトカップリング面から離れた該スタックの底面に設けられた該インカップリング面から離れると反射が少なくなるグラジエント化されたパターンを有する、請求項１３に記載のディスプレイ。
【請求項１５】
該グラジエント化された光反射パターンが該アウトカップリング面の下側に延在する、請求項１４に記載のディスプレイ。
【請求項１６】
該光ガイドが、０．１〜５ｍｍの厚さの透明な平面層によって形成されており、且つ該インカップリング面が、該アウトカップリング面から約５〜８ｍｍの距離で配置されている、請求項１〜１５のいずれか１項に記載のディスプレイ。
【請求項１７】
該側縁部及び該透明部が射出成形によって製造されたものである、請求項１〜１６のいずれか１項に記載のディスプレイ。
【発明の詳細な説明】
【技術分野】
【０００１】
本開示は、組み込まれたＬＥＤからの改善された均質性の光を有する、セグメント化された可撓性光ガイド（light  guides）に関する。
【０００２】
ＬＥＤを有する光ガイドの照明セクションは、光ガイドの他の部分に望ましくない光の漏れをもたらす。その上、１〜１０ｍｍではＬＥＤの近くに強度が突出する部分ができる故に、ＬＥＤは、このＬＥＤからの光をアウトカップリングする領域から遠く離れたところに配置されている。被照明領域に現れるこの突出部を避ける為に、この距離は長くされ、その結果、システム全体の面積が望ましくなく増大する。
【０００３】
均質性を達成する為の最も典型的な方法は、大きく間隔を空けることか、又は光を多く拡散させる及び／又は吸収することのいずれかであり、その結果、光ガイドによって放射される光の輝度はかなり減少させられる。すぐそばにある隣り合うアイコンに対して、典型的な光ガイドは、これらのアイコン間のクロストークを数％に、又は１％にさえ低減する為の解決策を有しない。従って、１つのアイコンを点けることは、他のアイコンからの望ましくない発光をもたらす。さらに、光ガイドは、ＬＥＤから少なくとも５〜１０ｍｍ離れた放射領域を生成するだけで得られるよりも効果的に光が広がって、光がより均質になるような形状にされることができる。しかし、場合によっては、この距離は遠すぎる。
【発明の概要】
【発明が解決しようとする課題】
【０００４】
本発明は、照明セクションの均質性を改善し且つＬＥＤのこのセクションまでの距離を減少させる光学設計特徴を提案する。
【課題を解決するための手段】
【０００５】
この為に、照らされたアイコン又は画像を表示する、光ガイドを備えているディスプレイが提供され、ここで、該光ガイドは、１以上のＬＥＤ装置を受け入れる為のインカップリング面（incoupling  face）を有し、ＬＥＤ装置は、インカップリング面から、アイコン又は画像を画定するアウトカップリング面（outcoupling  face）に進む光路を定める為の主光射出方向を有する。該光ガイド１０は、該主光射出方向Ｌからそれる方向のＬＥＤ２０からの光を遮蔽する側縁部を有する。該光ガイドは、該ＬＥＤ装置に沿って延在する該インカップリング面を向く頂点を有する光均質化ゾーンを備えている透明部に設けられており、該均質化ゾーンは、上記面に沿ってＬＥＤ装置の長さより短い側面から離れており、光射出方向に沿ってほぼＬＥＤ装置の長さに延在する。１つの例において、空気ポケットがＬＥＤに設けられて、光ガイドとの境界で光の屈折を与える。
【０００６】
該提案される設計は、均質性への顕著な改善を提供する。該ＬＥＤと発光セクションとの間の５〜１０ｍｍの間隔を用いる代わりに、距離は、５ｍｍよりも短く、おそらく３ｍｍまでにすら短縮されることができる。この光ガイドは、屈折を与える為に、ＬＥＤにおいてわずかな空気ポケットを含みうる。
【０００７】
このようにして、（典型的には極めて不均質である）ＬＥＤディスプレイによって放射される光はすでにＬＥＤの近くで均質である。
【０００８】
その上、同じ材料のタイプの異なる光学的密度のセクションを一緒になるように融合して適切な光ガイド形状を形成することが提案される。このようにして、ディスプレイは、セグメント化され且つ相補的な形状の２以上の層の単一の一体化されたスタックを形成する透明部と縁部とを有する。
【０００９】
例えば、高温ステップ、例えば高圧積層によって単一の層に溶かされた熱可塑性ポリウレタン（ＴＰＵ：ｔｈｅｒｍｏｐｌａｓｔｉｃ  ｐｏｌｙｕｒｅｔｈａｎｅ）物質によって形成された不透明セクションと透明セクションとから光ガイドを生成することによって、及び／又はカバー層を設けることによって光の漏れは低減されうる。該光ガイドは、光がアウトカップリングするまで光が捕らえられる閉じられたセクションとして提供される。本発明では、この部分は完全に可撓性があり、効率的な導光の為の全ての要素と開口とを含んで所望のいかなる見え方も生成することができる。この要素は、形成前又は後に、３次元の予め形成された硬質又は半硬質の要素に容易に一体化されることができる。
【００１０】
複数の高温ＴＰＵを使用して単一の層を形成することによって、透明セクション間の間隔が１ｍｍよりも狭くても、光は隣り合うセクションの間で完全に遮蔽されることができる。
【００１１】
本開示の装置、システム及び方法のこれらの及び他の特徴、観点及び利点が、下記の説明、添付の特許請求の範囲及び添付の図面からより良く理解されるであろう。
【図面の簡単な説明】
【００１２】
【図１Ａ】図１Ａは、不透明マトリックス及び透明マトリックスを使用して、光ガイドをセグメント化して、隣り合う照明区域への漏れを低減する製品部分の図である。
【図１Ｂ】図１Ｂは、ＬＥＤにおける、又は対向する境界部における例示的な構造物の図である。１つの構造物が描かれているが、構造物のアレイでありうる。ＬＥＤにおいては、空気ポケットは、その形状、大きさを最適化し、それとは別に積層方法（温度及び圧力）を最適化することによって保たれることができる。
【図１Ｃ】図１Ｃは、光ガイドの様々な形状の図である。
【図２Ａ】図２Ａは、均質化構造物及びそれらの光学的応答の図である。
【図２Ｂ】図２Ｂは、均質化構造物及びそれらの光学的応答の図である。
【図２Ｃ】図２Ｃは、均質化構造物及びそれらの光学的応答の図である。
【図３】図３は、上面、及び段階的に光を拡散する為のパターンを含む底面を示す、アイコン表示の例示的な上面図である。
【図４Ａ】図４Ａは、組立体の例示的な積層スタックの図であり、ここで、光ガイド並びに反射側及び裏側層は射出成形によって加えられている。
【図４Ｂ】図４Ｂは、組立体の例示的な積層スタックの図であり、ここで、光ガイド並びに反射側及び裏側層は射出成形によって加えられている。
【発明を実施するための形態】
【００１３】
特定の実施態様を説明する為に使用される語は、本発明を限定するように意図されたものではない。本明細書に使用される単数形「１つの（ａ）」、「１つの（ａｎ）」、及び「その（ｔｈｅ）」は、文脈においてそうでないことを明示していなければ、複数形も包含することを意図される。「及び／又は」という語は、関連する列挙項目のうちの１以上の任意の及び全ての組み合わせを包含する。「備えている（ｃｏｍｐｒｉｓｅｓ）」及び／又は「備えている（ｃｏｍｐｒｉｓｉｎｇ）」という語は、述べられた特徴が存在することを特定するが、１以上の他の特徴が存在する、又は加わることを排除しないことはさらに理解されよう。方法の特定のステップが別のステップの後に続くと称される場合、そうでないことを明記していなければ、これは、上記他のステップのすぐ後に続くことができるか、又は１以上の中間ステップが特定のステップを実行する前に実行されうるとさらに理解されよう。同様に、構造物間又は構成要素間の接続が記載されるとき、この接続は、そうでないことを明記されていなければ、直接的に或いは中間構造物又は中間構成要素を介して確立されうることは理解されよう。
【００１４】
本発明は、本発明の実施態様が示されている添付の図を参照して、より完全に下記に説明される。該図において、システム、構成要素、層及び領域の絶対的及び相対的な大きさが、明確の為に誇張されうる。実施態様は、本発明のおそらく理想化された実施態様及び中間構造物の概略図及び／又は断面図を参照して説明されうる。発明の詳細な説明及び図面において、全体を通して、同様の番号は同様の要素を云う。相対的な語及びその派生語は、そのときに説明されている方向、又は論じられている図に示されている方向を参照していると解釈されるべきである。これらの相対的な語は、説明を便利にする為のものであり、且つシステムが特に明記されていない限り、特定の方向で組み立てられる又は動作される必要はない。
【００１５】
図１Ａにおいて、ディスプレイ１００が光ガイド１０及びＬＥＤ装置２０から形成されている実施態様が示されている。より詳細には、光ガイド１０は、１以上のＬＥＤ装置２０を受け入れる為のインカップリング面１１０を有し、該ＬＥＤ装置２０が、インカップリング面１１０から、アイコン、スリット又は画像を画定する為のアウトカップリング面１２０に進む光路を画定する為の主光射出方向を有する。
【００１６】
光ガイド１０は、主光射出方向Ｌからそれる方向のＬＥＤ２０からの光を反射及び／又は遮蔽する側縁部３０を有する。
【００１７】
より詳細には、図１Ｂは、光ガイド１０が、ＬＥＤ装置２０に沿って延在するインカップリング面１１０に面する頂点を有する光均質化ゾーン１３０を備えている透明部１０２を備えていることを示す。該光均質化ゾーンの形状は、中央の頂点が形成され且つ側部がＬＥＤ装置から離れる方向を向く境界面を有するようなものである。均質化ゾーン１３０は側面１１０に近く、特に、（頂点から測定された）ＬＥＤ装置２０のその発光面に沿って測定された長さよりも短い距離を有する。均質化ゾーン１３０は、ＬＥＤ装置２０のほぼ長さにわたって光射出方向Ｌに沿って延在する。図１Ａ及び１Ｂの例において、均質化構造物１３０は、単一の三角形の空洞であるが、これは、三角形の均質化構造物１３０を形成する複数の空洞、例えば、１以上の三角形又は丸みを帯びた三角形、とすることができる。均質化構造物１３０の縁はさらに、ＲＧＢ側面ＬＥＤを使用する場合、光の拡散及び光の混合を改善する為に粗くされうる。
【００１８】
図１Ｂは、側縁部が、光ガイド１０に隣接して且つ相補的に形成されている非透明材料１０１によって与えられていることを示す。白色ＴＰＵが、電気的な設計図が印刷されている基板１０２として使用されうる。代替的には、ＴＰＵは白色ライナを有しうる、又は該基板は白色コーティングを有するＰＥＮ基板でありうる。このＴＰＵ上のこのインクを硬化することは、その高い処理温度１４０℃の故に容易である。白色は、プリント回路に接合されたＬＥＤから生じる発光を基板の境界で反射させることに役立つ。側面放射ＬＥＤ２０は、好ましくは＜２ｍｍ、より好ましくは＜１ｍｍ、等の高さを有するＡｇプリント回路に接合されうる。高出力ＬＥＤが好ましい（出力＞１０００ｎｉｔ）。マトリックス１０１はまた、セクションがレーザ又は別の方法によって切断される白色ＴＰＵによって形成されうる。マトリックス１０１はまた、設計に依存して、黒色、又は黒色と白色との組み合わせでありうる。黒色ＴＰＵは、完全に光を吸収し非透明であるので光を遮蔽することに役立つ。これは、光学システムの出力効率の損失をもたらすが、一方では、望ましくない光の漏れが避けられることを保証し、従って、明確に画定された照明領域をもたらす。
【００１９】
図１Ａのように組み合わせられる場合に、ディスプレイ１００は、セグメント化され且つ相補的な形状の２以上の層の一体化された単一のスタック５０を形成する透明部１０２及び縁部１０１を有する。相補的な構造物を個別に切り離して、そして両方の構造物を重ねて単一の層を形成することによって組み合わせがなされることができる。重ねられた後、例えば、カバー層（図４を参照）による積層は、装置１００についての一体化された構造物を保持することを提供することができる。
【００２０】
図１Ｃは、光ガイド１０が方形又は矩形ではなく、光をさらに広げて、アウトカップリング面１２０の中央部に比べて側部１２１での光の強度の低下を避ける形状を含むことを示す。複数のＬＥＤは近距離で強くアウトカップリングし、このことは、それは、この距離でより広い面積にわたって均質な放射を達成することを困難にする。該光ガイドは、光を拡散する為に、インカップリングの位置においてインカップリング面におけるパターニングを提供されうる。従って、該インカップリング面は、インカップリング面とＬＥＤ装置との間に空洞を含むように、非平坦でありうる。
【００２１】
例えば、光ガイド１０は、ＬＥＤ発光面２０に、光ガイド１０との境界で光の屈折を与える空気ポケット１５０を含む。これらの空気ポケット１５０によって該ＬＥＤの長さＤは、アウトカップリング面１２０の幅に対して制限されることができるが、それでも、均質に照らされた側面を有する。典型的な比が、該ＬＥＤの長さＤの約１５０〜３００％のアウトカップリング面の幅でありうる。該空気ポケットは、おそらく、丸みを帯びた曲線と、丸みを帯びた三角形状の三角形の底辺の粗化部とを有する三角形であり、この粗化部は色分割を防ぐ。該インカップリング面の反対側は、同様に屈折構造物を備えうる。
【００２２】
図２Ａ〜図２Ｃは、光ガイド１０の様々な構造の幾つかの均質化ゾーンについての光学的応答を示す。図２Ａにおいて、基本の光学的応答が、光ガイド１０について与えられており、ここで、均質化構造物は設けられていない。アウトカップリング面が、特に中央付近で不均質性を示すことが示されている。図２Ｂにおいて、均質化ゾーン３０が、透明部１０２における単一の空洞によって与えられている。均質性は、特に側部の方で改善されていることが示されている。図２Ｃにおいて、優れた均質性が、該均質化ゾーンに含まれる完全なレンズの形態の均質化構造物について示されている。この実施態様は製造することが困難である。
【００２３】
図３は、アウトカップリング（outcoupling）上面１２０のアイコン表示１２１、及びグラジエントパターン１４０を有するグラジエント化された底面１４０の例示的な上面図を示す。該グラジエントパターンは反射面に形成され、従って、ＬＥＤ２０から放射された光を部分的に反射する。該反射面は通常、グラジエント化されたパターンを有する光反射コーティングによって与えられている。該パターンは、インカップリング面１１０から離れると少なくなる反射を有する。この例において、該グラジエント化された光反射パターンは、アウトカップリング面１２０の下側に延在する。
【００２４】
ＬＥＤインカップリング面１１０の及び／又は均質化ゾーン１３０の側面は、例えば、ＲＧＢ  ＬＥＤを使用する場合に、色分割を防ぐ為に粗化部を有することが示されている。この例において、ＬＥＤ装置を受け入れるインカップリング面１１０は平面状の透明な層の側面である。ＬＥＤ装置２０は、光ガイド１０の透明層に対応する厚さを有する直立ＬＥＤである。該光ガイドのセクション１０は、透明な又は曇ったＴＰＵから切断され得、そして、該白色光ガイドの縁部３０内に配置されている。別途に、任意的に曇った又は光の拡散を与える為に修正されたカバーフォイル（ＰＥＴ、ＰＥＮ、ＴＰＵ、ＰＶＢ、ＰＣ、又はその他）が、光が光ガイドを出ることができる開口を有して、反射コーティング、例えば誘電体インク、でプリントされることができる。代替的には、該カバー層は、プリントコーティング、例えばＴＰＵ層上のコーティング、でありうる。この白色誘電体反射コーティングは、透明部と縁部との積層組立ステップの間に、ＴＰＵに向けられたカバーフォイルとすることができる。該カバーフォイルの上部には、さらなる層がプリントされうる（誘電性、耐擦傷性、又はその他）。導光（Light  guiding）及びアウトカップリングは、内部及び／又は外部における彫刻パターンを施与することによって改善されることができるが、また内側に組み込まれうる。このパターンはランダムでありうるが、また本質的に周期的でありうる。例えば、ＰＥＮ及びＰＣ内にＣＯ２レーザでレーザ加工された５０ミクロンごとの３０ミクロンまでの線を刻むことで良好な結果が得られることができる。示された例において、該光ガイドは、２ｍｍの厚さの透明な平面層によって形成され、且つ該インカップリング面は、アウトカップリング面から約５〜８ｍｍの距離に配置されている。均質化ゾーン１３０は、高温でその形状が大きく変化しないように、耐熱材料で与えられている。
【００２５】
図４Ａは、例示的な、層のスタックを示し、ここで、ＬＥＤ２０が、光ガイド１０の側面から結合するＬＥＤであることが示されている。スタック１００は縮尺通りでなく、任意的な層の数を示す為だけのものである。中央の光ガイド（light  guide）層５０は、透明なＰＭＭＡからセグメント化される。層４０は、強化された導光の為のグラジエント彫刻で修正されたＰＭＭＡ界面である。彫刻されたカバー層４０は、底部可飾フォイル（bottom  decorative  foil）１０６に積層されたデンサイト（ｄｅｎｓｉｔｅ）白色フォイル１０４と接触して配置されている。光ガイドスタックは、白色コーティング１０４’によって光学的に閉ざされており、散乱フォイル（scatter  foil）１０５及び頂部フォイル（top  foil）１０６’によって仕上げられている。
【００２６】
図４Ｂは、側縁部及び透明部が射出成形によって製造されている変形例を示す。この例において、カバー層４０は、例えば、２５０ミクロンのコーティングされたポリカーボネート（ＰＣ：ｐｏｌｙｃａｒｂｏｎａｔｅ）透明前面フォイル１０７によって与えられている。反射白色面１０４は、グラジエントパターンで光反射コーティングをすることによって、従って、上側のセグメント化された透明光ガイドスタックＧをグラジエントパターンでカバーすることによって与えられている。反射白色コーティング１０４の側部１０４ａは、カバーフォイルでの導光を遮蔽する黒色コーティングによって終端されうる。ＰＣカバーフォイル１０７は、外側が黒色の白黒インクのスタックである頂部コーティング１０４ｂ、１０４ｗをさらに備えている。コーティング１０４は、照らされた場合に、透明なポリカーボネート層がアイコンを示すように、アイコン画像を空けたままにしている。カバー層４０の裏側には、光ガイドスタックＧが、透明部１０に隣接して且つ相補的に形成された非透明材料によって与えられたセグメント化された光側縁部３０によって形成されている。従って、光ガイド１００は、セグメント化され且つ相補的な形状の２以上の層５０と１つのカバー層４０との単一の一体化されたスタックを形成する。
【００２７】
これは、結果として、機能層が射出成形部５０の上にスタックとして与えられ、好適な厚さを与えるのに役立つ。例えば、裏面基板の上の裏側層はＴＰＵ層によって与えられうるが、射出成形されることもできる。層３１は、相補的な形状の層５０とともに同時に射出成形される。この側の型の形状を変えることによって、層３１の形状は非平坦にすることができ、それが非平坦反射面を生成することを可能にし、それによって潜在的に有利な光学的効果を与える。層３２は、単一のフォイル、又は機能フォイルと非機能フォイルの組み合わせで、平坦であるか、又は成形過程中に保護される裏側接触用のビア又はスロット用の接点を含む。チップ、センサ、又は装置の形態の機能性がこの部分に付け加えられ、それによって前面部が接触されうる、又は電力を供給されうることもまた想像されることができる。また、上部放射ＬＥＤは層３２に付け加えられることができる。図４におけるスタックは、射出成形された白色形状５０に変えられるが、層３２としてプリント回路及び構成要素を有する白色反射フォイルを有する。
【００２８】
明瞭で且つ簡潔な説明をする為に、特徴が、同じ又は別々の実施態様の一部分として本明細書に記載されているが、本発明の範囲は、記載された特徴の全て又は幾つかの組み合わせを有する実施態様を包含しうることは認識されるであろう。
【００２９】
添付の特許請求の範囲の解釈において、「備えている（ｃｏｍｐｒｉｓｉｎｇ）」という語は、所与の請求項に列挙された要素以外の他の要素又は作用が存在することを排除するものではないこと、要素の前にある「１つの（ａ）」又は「１つの（ａｎ）」という単語は、このような要素が複数存在することを排除するものではないこと、請求項中のいかなる参照符号も、その範囲を限定するものではないこと、幾つかの「手段」が、同じ又は異なる１以上の項目、或いは具現化される構造又は機能によって表されうること、そうでないことを明示されていなければ、開示される装置のいずれか又はそれらの部分は互いに組み合わせられうる、或いはさらなる部分に分離されうることは理解されるべきである。１つの請求項が別の請求項を参照する場合、これは、これらのそれぞれの特徴の組み合わせによって達成される相乗的な利点を示しうる。しかし、特定の手段が互いに異なる請求項に記載されているという事実だけで、これら手段の組み合わせは有利に使用されることができないということを示すわけではない。従って、本実施態様は、これらの請求項の全ての有効な組み合わせを包含しうる。ここで、文脈によって明確に除外されていなければ、各請求項は、原則としては、任意の先行する請求項を参照することができる。
【図１Ａ】
2021511643.tif 000003
【図１Ｂ】
2021511643.tif 000004
【図１Ｃ】
2021511643.tif 000005
【図２Ａ】
2021511643.tif 000006
【図２Ｂ】
2021511643.tif 000007
【図２Ｃ】
2021511643.tif 000008
【図３】
2021511643.tif 000009
【図４Ａ】
2021511643.tif 000010
【図４Ｂ】
2021511643.tif 000011
【国際調査報告】
2021511643.tif 000012
2021511643.tif 000013
2021511643.tif 000014